(57)【要約】      （修正有）【課題】押入れのサイズによって、長さを調整するこができる伸縮可能な棚を提供する。【解決手段】相対するように配置され、それぞれの底面両側に締め付け部が設けられる一対の固定板１０と、各固定板に取り付けられる足部材２０と、両端が伸縮可能に両側の固定板の締め付け部の間に取り付けられる伸縮軸と、を有し、その内、各伸縮軸は、両側の固定板の締め付け部にそれぞれ取り付けられると共に、内端に内径が小径の止め部が設けられる２本の外管と、外径が該止め部の内径より小さいと共に、両端が進退自在に両側の該外管に挿設される１本の内管と、外径が止め部の内径より大きく、且つ外管の内径より小さいと共に、両側の外管の内部にそれぞれ位置するように内管の両端に取り付けられる２つのキャップとを備えることを特徴とする。【選択図】図１
0003186189.tif 000002
【実用新案登録請求の範囲】
【請求項１】
相対するように配置され、それぞれの底面両側に締め付け部が設けられる一対の固定板と、
前記各固定板に取り付けられる足部材と、
両端が伸縮可能に両側の前記固定板の締め付け部の間に取り付けられる伸縮軸と、を有し、
その内、前記各伸縮軸は、両側の固定板の締め付け部にそれぞれ取り付けられると共に、内端に内径が小径の止め部が設けられる２本の外管と、外径が該止め部の内径より小さいと共に、両端が進退自在に両側の該外管に挿設される１本の内管と、外径が該止め部の内径より大きく、且つ該外管の内径より小さいと共に、両側の該外管の内部にそれぞれ位置するように該内管の両端に取り付けられる２つのキャップとを備えることを特徴とする伸縮可能な棚。
【請求項２】
前記固定板の底面中間に更に締め付け部が設けられ、もう１本の伸縮軸を備え、該伸縮軸の両端が伸縮可能に両側の該固定板の中間の締め付け部に取り付けられることを特徴とする請求項１に記載の伸縮可能な棚。
【請求項３】
前記固定板の締め付け部に締め付け孔が形成され、
前記伸縮軸の外管が締め付け部の締め付け孔に取り付けられることを特徴とする請求項２に記載の伸縮可能な棚。
【請求項４】
前記固定板に表面に少なくとも１つの通気貫通孔が形成されることを特徴とする請求項１乃至３に記載の伸縮可能な棚。
【請求項５】
前記固定板の底面両側にそれぞれ足付け部が設けられ、該各足付け部に挿設孔が形成され、
前記足部材は、各足付け部の挿設孔にそれぞれ差し込まれる２本の支持脚と、これらの支持脚の底端を連結する下部フレームとを備えることを特徴とする請求項１乃至３に記載の伸縮可能な棚。
【請求項６】
両側の前記固定板の間に位置するように、着脱可能に前記伸縮軸の内管に係止される少なくとも１枚の取替板を有することを特徴とする請求項１乃至３に記載の伸縮可能な棚。
【請求項７】
前記取替板の底面における、伸縮軸と対応する箇所にそれぞれ係止凹部が形成されることを特徴とする請求項６に記載の伸縮可能な棚。
【請求項８】
前記取替板の表面に通気貫通孔が形成されることを特徴とする請求項６に記載の伸縮可能な棚。
【考案の詳細な説明】
【技術分野】
【０００１】
本考案は、特に押入れに収納できるサイズであり、長さを調整可能な棚に関するものである。
【背景技術】
【０００２】
従来の棚においては、押入れの空間を有効利用するために、この空間に棚を配置して、棚の上方及び下方に荷物を収納できる、実用性に優れた棚が開発されているが、このような棚は、所定の長さを有するので、押入れのサイズに合わないという問題があった。この問題を解決するため、その後、業者は、各種押入れのサイズに合った棚を開発したが、この製法方法によれば、生産コストが増大してしまうと共に、自宅の押入れのサイズを測らなければ、サイズの合った棚を購入することができないので、非常に不便であった。
【０００３】
既存の調整可能な棚には、特許第３３５８１７３号を有し、この棚は、一側の固定棚に取り付けられた内管３２が外管３１に進退自在に差し込まれ、内管３２が外管３１に対して摺動することができることから、両側の固定棚との距離を調整することができるので、如何なるサイズの押入れでも用いることができる。
【考案の概要】
【考案が解決しようとする課題】
【０００４】
しかしながら、既存の棚は、内管と外管とが同一側の固定棚に取り付けられるので、部材の構成や組み立ての仕方が複雑であるという欠点を有し、また、棚の長さを調整する時に、片側の固定棚しか摺動できないことから、製造上、非常に不便であった。
【課題を解決するための手段】
【０００５】
本考案に係る伸縮可能な棚は、相対するように配置され、それぞれの底面両側に締め付け部が設けられる一対の固定板と、
前記各固定板に取り付けられる足部材と、
両端が伸縮可能に両側の前記固定板の締め付け部の間に取り付けられる伸縮軸と、を有し、
その内、前記各伸縮軸は、両側の固定板の締め付け部にそれぞれ取り付けられると共に、内端に内径が小径の止め部が設けられる２本の外管と、外径が該止め部の内径より小さいと共に、両端が進退自在に両側の該外管に挿設される１本の内管と、外径が該止め部の内径より大きく、且つ該外管の内径より小さいと共に、両側の該外管の内部にそれぞれ位置するように該内管の両端に取り付けられる２つのキャップとを備えるものである。
【０００６】
かかる伸縮可能な棚において、前記固定板の底面中間に更に締め付け部が設けられ、もう１本の伸縮軸を備え、該伸縮軸の両端が伸縮可能に両側の該固定板の中間の締め付け部に取り付けられることが好ましい。
【０００７】
かかる伸縮可能な棚において、前記固定板の締め付け部に締め付け孔が形成され、前記伸縮軸の外管が締め付け部の締め付け孔に取り付けられることが好ましい。
【０００８】
かかる伸縮可能な棚において、前記固定板に表面に少なくとも１つの通気貫通孔が形成されることが好ましい。
【０００９】
かかる伸縮可能な棚において、前記固定板の底面両側にそれぞれ足付け部が設けられ、該各足付け部に挿設孔が形成され、
前記足部材は、各足付け部の挿設孔にそれぞれ差し込まれる２本の支持脚と、これらの支持脚の底端を連結する下部フレームとを備えることが好ましい。
【００１０】
かかる伸縮可能な棚において、両側の前記固定板の間に位置するように、着脱可能に前記伸縮軸の内管に係止される少なくとも１枚の取替板を有することが好ましい。
【００１１】
かかる伸縮可能な棚において、前記取替板の底面における、伸縮軸と対応する箇所にそれぞれ係止凹部が形成されることが好ましい。
【００１２】
かかる伸縮可能な棚において、前記取替板の表面に通気貫通孔が形成されることが好ましい。
【考案の効果】
【００１３】
本考案に係る伸縮可能な棚は、両側の固定板がそれぞれ伸縮軸の両端の外管と組み合わされることから、両側の固定板がそれぞれ伸縮軸の内管に沿って摺動することができ、棚の長さを自由に調整することができるので、使用上、非常に便利である。また、本考案に係る伸縮可能な棚の構成は非常に単純であり、部材の組み立ても簡単であるので、生産のコストも低減することができる。
【００１４】
さらに、取替板が着脱可能に伸縮軸の内管に係止される構成であることから、取替板の枚数を需要に応じて自由に増減できると共に、取替板を内管に沿って摺動することも可能であり、更に、取替板は、固定板の間に隙間を有するように取り付けてもよく、取替板の間に隙間を有するように配置してもよく、その上、押入れの内部の空気は、これらの隙間や固定板の通気貫通孔、取替板の通気貫通孔によって、荷物を棚の上方または下方に放置しても換気することができる。
【図面の簡単な説明】
【００１５】
【図１】本考案に係る伸縮可能な棚の第一実施例の斜視図である。
【図２】本考案に係る伸縮可能な棚の第一実施例の部分分解斜視図である。
【図３】本考案に係る伸縮可能な棚の第一実施例における固定板及び伸縮軸の部分分解斜視図である。
【図４】本考案に係る伸縮可能な棚の第一実施例における固定板及び伸縮軸の部分拡大断面図である。
【図５】本考案に係る伸縮可能な棚の第一実施例の使用状態を示す斜視図である。
【図６】本考案に係る伸縮可能な棚の第二実施例の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図３に示すように、本考案に係る伸縮可能な棚は、一対の固定板１０と、一対の足部材２０と、３本の伸縮軸３０と、少なくとも１枚の取替板４０を有し、その内、各固定板１０は、一体成形によりなり、相対するように配置され、底面外端の両側にそれぞれ足付け部１１が設けられ、該各足付け部１１に挿設孔１１０が形成され、また、底面の両側及び中間にそれぞれ、締め付け部１２が設けられ、該締め付け部１２に締め付け孔１２０が形成され、該締め付け部１２の外端周面に、すなわち該足付け部１１側の周面に、該締め付け孔１２０と連通する位置決め孔１２１が形成される。尚、前記固定板１０の表面に少なくとも１つの通気貫通孔１３が形成されることが好ましい。
【００１８】
本考案における第一実施例において、前記各締め付け部１２は、固定板１０における、底面内側に内ブロックが、底面外側に外ブロックが設けられ（符号なし）、前記締め付け孔１２０は、該内ブロック及び外ブロックに形成され、前記位置決め孔１２１は、該外ブロックの周面に形成される。
【００１９】
前記一対の足部材２０はそれぞれ、固定板１０の足付け部１１に取り付けられる。尚、本実施例における足部材２０は、両側の足付け部１１の挿設孔１１０にそれぞれ差し込まれる２対の支持脚２１と、各１対の支持脚２１の底端を連結する下部フレーム２２とを備える。
【００２０】
図２及び図３に示すように、前記３本の伸縮軸３０は、両側の固定板１０の締め付け部１２と対応するように、間隔をおいて平行に配列され、該各伸縮軸３０の両端はそれぞれ、伸縮可能に両側の固定板１０の締め付け部１２に取り付けられる。
【００２１】
図３及び図４に示すように、前記各伸縮軸３０は、２本の外管３１と、１本の内管３２と、２つのキャップ３３と、２つのボルト３４とを有し、その内、２本の外管３１はそれぞれ、両側の固定板１０の締め付け部１２の締め付け孔１２０に取り付けられ、内端に内径が小径である止め部３１０が設けられる。尚、第一実施例における外管３１は、締め付け部１２の締め付け孔１２０に貫設されるように内ブロック及び外ブロックに取り付けられる。
【００２２】
前記内管３２は、外径が外管３１の止め部３１０の内径より小さいと共に、両端が進退自在に両側の外管３１に挿設され、前記２つのキャップ３３はそれぞれ、外径が外管３１の止め部３１０の内径及び内管３２の外径より大きく、且つ外管３１の内径より小さいと共に、外管３１の内部に位置するように内管３２の両端に取り付けられ、前記２つのボルト３４は、外管３１の外端周面に当接するように、締め付け部１２の位置決め孔１２１に螺合されるので、外管３１をしっかりと固体板１０に取り付けることができる。
【００２３】
図２に示すように、前記取替板４０は、両側の固定板１０の間に位置するように、着脱可能に伸縮軸３０の内管に係止され、また、該取替板４０の底面における伸縮軸３０と対応する箇所にそれぞれ、係止凹部４１が形成され、該係止凹部４１を介して着脱可能及び摺動可能に伸縮軸３０の内管３２に係止され、また、上下を貫通する通気貫通孔４２が形成される。これによれば、伸縮軸３０の内管３２が取替板４０を支持することができる。
【００２４】
本考案に係る調整可能な棚の組み立てる時は、前記各伸縮軸３０を固定板１０に取り付け、まず２本の外管３１を内管３２の両端に環装して、内管３２の両端にそれぞれキャップ３３を取り付け、更に、外管３１の両側をそれぞれ固定板１０の締め付け部１２の締め付け孔１２０に差し込めば、外管３１をしっかりと固定板１０に取り付けることができる。
【００２５】
また、図３及び図５に示すように、本考案に係る調整可能な棚を使用する時は、両側の固定板１０がそれぞれ伸縮軸３０の両端の外管３１と組み合わされていることから、両側の固定板１０をそれぞれ伸縮軸３０の内管３２に対してスライドさせることができ、また、棚の両側の固定板１０の何れか一方を伸縮軸３０の内管３２に対してスライドさせることもできる。故に、この構造によれば、自宅の押入れのサイズによって、棚の長さを自由に調整することができるので、使用上、非常に便利である。
【００２６】
さらに、本案は、取替板４０が着脱可能に伸縮軸３０の内管３２に係止される構成であることから、取替板４０の枚数を需要に応じて自由に変更でき、また、取替板４０の底面に係止凹部４１が形成されているので、該係止凹部４１によって取替板４０を内管３２に沿ってスライドさせることができ、或いは、取替板４０を固定板１０との間に隙間を有するように取り付けてもよく、また、取替板４０の間に隙間を有するように配列してもよい。尚、この構成によれば、押し入れの内部の空気は、これらの隙間や固定板１０の通気貫通孔１３、取替板４０の通気貫通孔４２によって、換気することができる。
【００２７】
図６に示すように、本考案に係る調整可能な棚における第二実施例は、幅の狭い押入れに応じて細長い形状にした場合の例であり、固定板１０Ａ及び足部材２０Ａの下部フレーム２２Ａのサイズが押入れの幅によって設けられると共に、両側の固定板１０Ａの間に２本の伸縮軸３０Ａだけ設置されることが第一実施例と異なる。第二実施例の他の構造や、取り付け方、使い方などが殆ど第一実施例と同一であることから、ここでの説明を省略する。
【００２８】
また、本考案に係る調整可能な棚において、幅の広い押入れに使用する場合には、固定板の幅と足部材の下部フレームを長くしてもよいと共に、固定板の締め付け部の数と伸縮軸の本数を増加してもよい（図に示せず）。
【符号の説明】
【００２９】
１０、１０Ａ    固定板
１１            足付け部
１１０          挿設孔
１２            締め付け部
１２０          締め付け孔
１２１          位置決め孔
１３            通気貫通孔
２０、２０Ａ    足部材
２１            支持脚
２２、２２Ａ    下部フレーム
３０、３０Ａ    伸縮軸
３１            外管
３１０          止め部
３２            内管
３３            キャップ
３４            ボルト
４０            取替板
４１            係止凹部
４２            通気貫通孔
【図１】
0003186189.tif 000003
【図２】
0003186189.tif 000004
【図３】
0003186189.tif 000005
【図４】
0003186189.tif 000006
【図５】
0003186189.tif 000007
【図６】
0003186189.tif 000008